(57)【要約】【課題】  構造が簡易で外れ難く、ノートの開閉時にカバーがノート本体に柔軟にフィットできるノートカバーを提供する。【解決手段】  ノートの表表紙をカバーする表表紙部１２ａと、ノートの裏表紙をカバーする裏表紙部１２ｂと、ノートの背表紙をカバーする背表紙部１１と、表表紙部１２ａの内側であって背表紙部１１側に設けられ、ノートの表表紙を挿入するスリット１６ａを有する第１の帯部と、裏表紙部１２ｂの内側であって背表紙部１１側に設けられ、ノートの裏表紙を挿入するスリット１６ｂを有する第２の帯部とを備え、第１の帯部は、背表紙部１１側が固定され、表表紙部１２ａ側が開放され、第２の帯部は、背表紙部１１側が固定され、裏表紙部１２ｂ側が開放されているノートカバーである。【選択図】        図１
0003206685.tif 000002
【実用新案登録請求の範囲】
【請求項１】
ノートが装着されるノートカバーであって、
前記ノートの表表紙をカバーする表表紙部と、
前記ノートの裏表紙をカバーする裏表紙部と、
前記ノートの背表紙をカバーする背表紙部と、
前記表表紙部の内側であって前記背表紙部側に設けられ、前記ノートの表表紙を挿入するスリットを備える第１の帯部と、
前記裏表紙部の内側であって前記背表紙部側に設けられ、前記ノートの裏表紙を挿入するスリットを備える第２の帯部とを有し、
前記第１の帯部は、前記背表紙部側が固定され、前記表表紙部側が開放され、
前記第２の帯部は、前記背表紙部側が固定され、前記裏表紙部側が開放されていることを特徴とするノートカバー。
【請求項２】
背表紙部と第１の帯部と第２の帯部が一体に形成され、
当該一体に形成された一体部分に表表紙部と裏表紙部が固定されていることを特徴とする請求項１記載のノートカバー。
【請求項３】
背表紙部と第１の帯部と第２の帯部が別々に形成され、
前記背表紙部と表表紙部と裏表紙部が一体に形成され、
前記背表紙部の一方の長辺側又は前記表表紙部の内側であって前記背表紙部側に前記第１の帯部が取り付けられ、
前記背表紙部の他方の長辺側又は前記裏表紙部の内側であって前記背表紙部側に前記第２の帯部が取り付けられていることを特徴とする請求項１記載のノートカバー。
【請求項４】
背表紙部側とは反対側の表表紙部の長辺に第１のペンホルダーを設け、
前記背表紙部とは反対側の裏表紙部の長辺に第２のペンホルダーを設けたことを特徴とする請求項１乃至３のいずれか記載のノートカバー。
【請求項５】
ノートカバーを閉じた状態で、第１のペンホルダーと第２のペンホルダーが重ならないように設けられていることを特徴とする請求項４記載のノートカバー。
【考案の詳細な説明】
【技術分野】
【０００１】
本考案は、リングで綴じられたリングノート等のノートカバーに係り、特に、簡易な構造で外れ難く、ノートの開閉時にカバーがノート本体に柔軟にフィットするノートカバーに関する。
【背景技術】
【０００２】
［先行技術の説明］
従来のノートカバーは、ノートの表（おもて）表紙と裏表紙の先端部分を収納するポケットが形成されており、そのポケットに表表紙と裏表紙を差し込むことで、ノートにノートカバーを取り付けるようにしている。
【０００３】
［関連技術］
尚、関連する先行技術としては、特開２００７−２８３５８３号公報「ブックカバー」（中川滋夫）［特許文献１］、特開２０１１−１２６２０５号公報「ノートカバー」（株式会社キングジム）［特許文献２］、実用新案登録第３１５４４１０号公報「ブックカバー」（中村忠英）［特許文献３］がある。
【０００４】
特許文献１には、背表紙の内側両端で帯状のものを重ね合わせて表表紙と裏表紙を固定する構成のブックカバーが記載されている。
特許文献２には、ノートの表表紙と裏表紙をカバーに装着するのに、差込ポケットの上側横方向にスリットを形成して挿入しやすくした構成のノートカバーが記載されている。
特許文献３には、本の表表紙と裏表紙を固定するために、カバーの端部の折返し部分に縦方向のスリットを設けた構成のブックカバーが記載されている。
【先行技術文献】
【特許文献】
【０００５】
【特許文献１】特開２００７−２８３５８３号公報
【特許文献２】特開２０１１−１２６２０５号公報
【特許文献３】実用新案登録第３１５４４１０号公報
【考案の概要】
【考案が解決しようとする課題】
【０００６】
しかしながら、従来のノートカバーでは、ノートの表表紙と裏表紙の先端部分を固定するようにしているので、ノートを閉じているときはノートの形状にノートカバーがフィットしているものの、ノートを１８０°開いたとき、更に３６０°開いたとき、ノートの背表紙に相当するノートカバーの部分が外側に突出してたるみが発生して使いづらいという問題点があった。
【０００７】
特許文献１では、背表紙の内側両端を帯状のものを重ね合わせる構成であるため、その部分がかさばって膨らんでしまい、１８０°以上開いたときに使い勝手がよくないものとなっている。
【０００８】
また、特許文献２，３では、ノート又は本の表表紙と裏表紙の先端部分を固定する構成となっているため、ノート等を１８０°以上開いた場合に背表紙に相当するカバーの部分がたゆみ使い勝手がよくないものとなっている。
【０００９】
本考案は上記実状に鑑みて為されたもので、簡易な構造で外れ難く、ノートの開閉時にカバーがノート本体に柔軟にフィットできるノートカバーを提供することを目的とする。
【課題を解決するための手段】
【００１０】
上記従来例の問題点を解決するための本考案は、ノートが装着されるノートカバーであって、ノートの表表紙をカバーする表表紙部と、ノートの裏表紙をカバーする裏表紙部と、ノートの背表紙をカバーする背表紙部と、表表紙部の内側であって背表紙部側に設けられ、ノートの表表紙を挿入するスリットを備える第１の帯部と、裏表紙部の内側であって背表紙部側に設けられ、ノートの裏表紙を挿入するスリットを備える第２の帯部とを有し、第１の帯部が、背表紙部側が固定され、表表紙部側が開放され、第２の帯部が、背表紙部側が固定され、裏表紙部側が開放されていることを特徴とする。
【００１１】
また、本考案は、上記ノートカバーにおいて、背表紙部と第１の帯部と第２の帯部が一体に形成され、当該一体に形成された一体部分に表表紙部と裏表紙部が固定されていることを特徴とする。
【００１２】
また、本考案は、上記ノートカバーにおいて、背表紙部と第１の帯部と第２の帯部が別々に形成され、背表紙部と表表紙部と裏表紙部が一体に形成され、背表紙部の一方の長辺側又は表表紙部の内側であって背表紙部側に第１の帯部が取り付けられ、背表紙部の他方の長辺側又は裏表紙部の内側であって背表紙部側に第２の帯部が取り付けられていることを特徴とする。
【００１３】
また、本考案は、上記ノートカバーにおいて、背表紙部側とは反対側の表表紙部の長辺に第１のペンホルダーを設け、背表紙部とは反対側の裏表紙部の長辺に第２のペンホルダーを設けたことを特徴とする。
【００１４】
また、本考案は、上記ノートカバーにおいて、ノートカバーを閉じた状態で、第１のペンホルダーと第２のペンホルダーが重ならないように設けられていることを特徴とする。
【考案の効果】
【００１５】
本考案によれば、ノートが装着されるノートカバーであって、表表紙部がノートの表表紙をカバーし、裏表紙部がノートの裏表紙をカバーし、背表紙部がノートの背表紙をカバーし、第１の帯部が表表紙部の内側であって背表紙部側に設けられ、ノートの表表紙を挿入するスリットを備え、第２の帯部が裏表紙部の内側であって背表紙部側に設けられ、ノートの裏表紙を挿入するスリットを備え、更に、第１の帯部は、背表紙部側が固定され、表表紙部側が開放され、第２の帯部は、背表紙部側が固定され、裏表紙部側が開放されているノートカバーとしているので、構造が簡易で外れ難く、ノートの開閉時にカバーがノート本体に柔軟にフィットできる効果がある。
【図面の簡単な説明】
【００１６】
【図１】第１のノートカバーの内側説明図である。
【図２】第１のノートカバーの外側説明図である。
【図３】第１のノートカバーの使用状態を示す側面説明図である。
【図４】第２のノートカバーの内側説明図である。
【図５】第２のノートカバーの外側説明図である。
【図６】第３のノートカバーの内側説明図である。
【図７】第３のノートカバーの外側説明図である。
【図８】応用例のノートカバーの内側説明図である。
【考案を実施するための形態】
【００１７】
本考案の実施の形態について図面を参照しながら説明する。
［実施の形態の概要］
本考案の実施の形態に係るノートカバーは、リングノート等のノートが装着されるものであって、ノートの表表紙をカバーする表表紙部と、ノートの裏表紙をカバーする裏表紙部と、ノートの背表紙をカバーする背表紙部と、表表紙部の内側であって背表紙部側に設けられ、ノートの表表紙を挿入するスリットを備える第１の帯部と、裏表紙部の内側であって背表紙部側に設けられ、ノートの裏表紙を挿入するスリットを備える第２の帯部とを有し、第１の帯部は、背表紙部側が固定され、表表紙部側が開放され、第２の帯部は、背表紙部側が固定され、裏表紙部側が開放されているものであり、構造が簡易で外れ難く、ノートの開閉時にカバーがノート本体に柔軟にフィットするものである。
【００１８】
［第１のノートカバー：図１〜３］
本考案の実施の形態に係る第１のノートカバー（第１のノートカバー）について図１〜３を参照しながら説明する。図１は、第１のノートカバーの内側説明図であり、図２は、第１のノートカバーの外側説明図であり、図３は、第１のノートカバーの使用状態を示す側面説明図である。
第１のノートカバーは、図１に示すように、背表紙部１１と、表表紙部１２ａと、裏表紙部１２ｂとから基本的に構成されている。
尚、第１のノートカバーは、Ａ５サイズのノート用のカバーである。
【００１９】
［第１のノートカバーの内側：図１］
また、表表紙部１２ａにはペンホルダー１３ａが形成され、裏表紙部１２ｂにはペンホルダー１３ｂが形成されている。
具体的には、表表紙部１２ａの背表紙部１１とは反対側の辺部分に、筒状（リング状）のペンホルダー１３ａが糸等で縫われて形成された固定部１４ａで固定されている。図１では、ペンホルダー１３ａは方形の形状に描画されているが、立体的にはペンを差し込むことができる筒状となっている。
【００２０】
また、裏表紙部１２ｂの背表紙部１１とは反対側の辺部分に、筒状（リング状）のペンホルダー１３ｂが糸等で縫われて形成された固定部１４ｂで固定されている。図１では、ペンホルダー１３ｂは方形の形状に描画されているが、立体的にはペンを差し込むことができる筒状となっている。
【００２１】
そして、ペンホルダー１３ａとペンホルダー１３ｂとは、第１のノートカバーを閉じたときに、重ならない位置に形成されている。第１のノートカバーを閉じた状態で、ペンを第１のペンホルダー１３ａに通し、第２のペンホルダー１３ｂにも通すようにすれば、この状態でノートカバーが開くことがなく、ロックされた状態となる。
【００２２】
［背表紙部１１の構成］
また、第１のノートカバーの特徴部分である背表紙部１１の構成について詳細に説明する。
背表紙部１１と表表紙部１２ａとは、糸等の固定部１５ａにより接続して固定され、また、背表紙部１１と裏表紙部１２ｂとは、糸等の固定部１５ｂにより接続して固定されている。
固定部１５ａ，１５ｂは、糸等の縫い目によって、その部分で折り曲げ易い構成となっている。
【００２３】
そして、固定部１５ａより外側（表表紙部１２ａの中央寄り）にスリット１６ａが固定部１５ａに並行に形成されている。スリット１６ａは、ノートの表表紙を挿入して貫通させるもので、ノートの表表紙を固定するものである。背表紙部１１の固定部１５ａより外側は、表表紙部１２ａには接続されておらず、固定部１５ａを支点にめくれるようになっている。
【００２４】
但し、ノートの表表紙が、スリット１６ａに挿入された状態で差し込み方向及び引き抜き方向に自在に移動可能となるよう、スリット１６ａの開口部は、ノートの表表紙の長さと厚みを考慮して余裕をもった長さと幅に形成されている。
ここで、背表紙部１１の内、固定部１５ａより外側の部分を「第１の帯部」とする。
【００２５】
また、固定部１５ｂより外側（裏表紙部１２ｂの中央寄り）にスリット１６ｂが固定部１５ｂに並行に形成されている。スリット１６ｂは、ノートの裏表紙を挿入して貫通させるもので、ノートの裏表紙を固定するものである。背表紙部１１の固定部１５ｂより外側は、裏表紙部１２ｂには接続されておらず、固定部１５ｂを支点にめくれるようになっている。
【００２６】
但し、ノートの裏表紙が、スリット１６ｂに挿入された状態で差し込み方向及び引き抜き方向に自在に移動可能となるよう、スリット１６ｂの開口部は、ノートの裏表紙の長さと厚みを考慮して余裕をもった長さと幅に形成されている。
ここで、背表紙部１１の内、固定部１５ｂより外側の部分を「第２の帯部」とする。
【００２７】
［第１のノートカバーの外側：図２］
第１のノートカバーの外側（図１の裏面）について図２を参照しなから説明する。
第１のノートカバーは、図２に示すように、表表紙部１２ａと裏表紙部１２ｂが背表紙部１１で接続され、固定部１５ａ，１５ｂで固定されている。
また、表表紙部１２ａの背表紙部１１とは反対側の辺にはペンホルダー１３ａの固定部１４ａが形成され、裏表紙部１２ｂの背表紙部１１とは反対側の辺にはペンホルダー１３ｂの固定部１４ｂが形成されている。
【００２８】
［第１のノートカバーの使用状態：図３］
次に、第１のノートカバーの使用状態について図３を参照しながら説明する。図３では、ノートとしてリングノートを使用しているが、リングノート以外であってもよい。尚、図３では、説明を分かり易くするために中央部分を拡大している。
背表紙部１１は、固定部１５ａ，１５ｂで表表紙部１２ａと裏表紙部１２ｂに接続している。
【００２９】
ここで、背表紙部１１の端部（第１の帯部）は、表表紙部１２ａの上側（内側）に設けられ、背表紙部１１の端部（第２の帯部）は、裏表紙部１２ｂの上側（内側）に設けられている。
【００３０】
そして、第１の帯部のスリット１６ａにノートの表表紙５２ａを差し込み、第２の帯部のスリット１６ｂにノートの裏表紙５２ｂを差し込む。尚、スリット１６ａ，１６ｂは、表表紙５２ａ、裏表紙５２ｂに対してスリットの幅と長さが大きめに形成されており、表表紙５２ａ、裏表紙５２ｂを差し込み方向及びその反対方向に自在にスライド（移動）できるようになっている。
図３において、リングノートは、リング５１と、表表紙５２ａと、裏表紙５２ｂと、表表紙５２ａ側の紙５３ａと、裏表紙５２ａ側の紙５３ｂとを有している。
【００３１】
［第１のノードカバーの動作］
図３の状態からノートカバーを閉じると、スリット１６ａ，１６ｂが表表紙５２ａと裏表紙５２ｂに沿ってリング５１側にスライドし、リングノートの背表紙に相当する部分がリング５１にフィットする。
【００３２】
図３の状態から更にノートカバーを開く（１８０°以上開く）と、スリット１６ａ，１６ｂがノートの表表紙５２ａと裏表紙５２ｂに沿ってリング５１とは反対側にスライドし、リングノートの背表紙に相当する部分のたゆみを発生させないようにして開くことができる。
【００３３】
第１のノートカバーは、ノートの表表紙及び裏表紙の先端側でノートを固定するものではなく、ノートの背表紙の付近でスリット１６ａ，１６ｂによりノートを固定するものであるから、１８０°以上ノートを開いた場合に、第１のノートカバーの表表紙部１２ａと裏表紙部１２ｂの先端部分が大幅に突出することになっても、第１のノートカバーがノート本体から外れることがない。
【００３４】
［第２のノートカバー：図４，５］
次に、第２のノートカバーについて図４，５を参照しながら説明する。図４は、第２のノートカバーの内側説明図であり、図５は、第２のノートカバーの外側説明図である。
第２のノートカバーは、図４，５に示すように、背表紙部２１と、表表紙部２２ａと、裏表紙部２２ｂとから基本的に構成されている。
尚、第２のノートカバーは、Ｂ６サイズのノート用のカバーである。
第２のノートカバーは、基本的には第１のノートカバーと同様の構成であって、サイズが異なっている。
【００３５】
第２のノートカバーは、第１のノートカバーと同様に、背表紙部２１とは反対側の表表紙部２２ａの辺部分にペンホルダー２３ａが固定部２４ａで取り付けられ、背表紙部２１とは反対側の裏表紙部２２ｂの辺部分にペンホルダー２３ｂが固定部２４ｂで取り付けられている。
【００３６】
また、背表紙部２１は、表表紙部２２ａと接続する固定部２５ａと、裏表紙部２２ｂと接続する固定部２５ｂと、スリット２６ａ，２６ｂが形成され、固定部２５ａの外側が「第１の帯部」、固定部２５ｂの外側が「第２の帯部」となっている。
【００３７】
そして、スリット２６ａ，２６ｂは、第１のノートカバーと同様に、ノートの表表紙と裏表紙が挿入され、差し込み方向に自在にスライドできるよう、スリットの幅と長さが設定されている。
第２のノートカバーの使用方法も第１のノートカバーの使用方法と同様である。
【００３８】
［第３のノートカバー：図６，７］
次に、第３のノートカバーについて図６，７を参照しながら説明する。図６は、第３のノートカバーの内側説明図であり、図７は、第３のノートカバーの外側説明図である。
第３のノートカバーは、図６，７に示すように、背表紙部３１と、表表紙部３２ａと、裏表紙部３２ｂとから基本的に構成されている。
尚、第３のノートカバーは、Ａ７サイズのノート用のカバーである。
第３のノートカバーは、基本的には第１，２のノートカバーと同様の構成であって、サイズが異なっている。
【００３９】
第３のノートカバーは、第１，２のノートカバーとは異なり、ペンホルダーを備えていない。但し、第１，２のノートカバーと同様にペンホルダーを形成してもよい。
また、背表紙部３１は、表表紙部３２ａと接続する固定部３５ａと、裏表紙部３２ｂと接続する固定部３５ｂと、スリット３６ａ，３６ｂが形成され、固定部３５ａの外側が「第１の帯部」、固定部３５ｂの外側が「第２の帯部」となっている。
【００４０】
そして、スリット３６ａ，３６ｂは、第１，２のノートカバーと同様に、ノートの表表紙と裏表紙が挿入され、差し込み方向に自在にスライドできるよう、スリットの幅と長さが設定されている。
第３のノートカバーの使用方法も基本的には第１，２のノートカバーの使用方法と同様である。
【００４１】
［応用例のノートカバー：図８］
次に、応用例のノートカバーについて図８を参照しながら説明する。図８は、応用例のノートカバーの内側説明図である。
応用例のノートカバーは、図８に示すように、背表紙部４１と、表表紙部４２ａと、裏表紙部４２ｂとから基本的に構成されている。
応用例のノートカバーの基本的な構成は、第１，２のノートカバーと同様である。
【００４２】
応用例のノートカバーが、第１，２のノートカバーと相違するのは、表表紙部４２ａと、背表紙部４１と、裏表紙部４２ｂとが一体に形成されている。つまり、表表紙部４２ａと、背表紙部４１と、裏表紙部４２ｂとが、一枚の革で構成されている。
【００４３】
そして、上述した「第１の帯部」と「第２の帯部」が独立した部材（４０ａ，４０ｂ）で形成され、固定部４５ａ，４５ｂで固定されている。
つまり、第１の帯部４０ａは、スリット４６ａを備え、その端部が固定部４５ａで固定され、他方が開放され、第２の帯部４０ｂは、スリット４６ｂを備え、その端部が固定部４５ｂで固定され、他方が開放されている。
【００４４】
尚、固定部４５ａ，４５ｂは、第１の帯部４０ａ、第２の帯部４０ｂを糸等で縫って固定すると共に、背表紙部４１における曲がりを良くしている。
応用例のノートカバーの使用方法は、第１，２のノートカバーと同様の使用方法である。
【００４５】
第１〜３のノートカバー及び応用例のノートカバーは、リングノートを前提に説明したが、糸綴じの通常のノートに用いてもよいし、２冊のノートを用いて、一方のノートの表表紙を表表紙部側のスリットに挿入し、他方のノートの裏表紙を裏表紙部側のスリットに挿入して利用することもできる。
【００４６】
［実施の形態の効果］
第１〜３及び応用例のノートカバーによれば、背表紙部の近くに形成されたスリットにノートの表表紙、裏表紙を挿入してノートを固定し、ノートの表表紙、裏表紙がスリットを差し込み方向に自在にスライドするようにしているので、構造が簡易で外れ難く、ノートの開閉時にカバーがノート本体に柔軟にフィットできる効果がある。
【００４７】
第１，２のノートカバー及び応用例のノートカバーでは、ペンホルダーを重ならないように設けるようにしているので、各ペンホルダーに１本のペンを通すことで、ノートカバーを閉じた状態に保つことができる効果がある。
【産業上の利用可能性】
【００４８】
本考案は、構造が簡易で外れ難く、ノートの開閉時にカバーがノート本体に柔軟にフィットできるノートカバーに適している。
【符号の説明】
【００４９】
１１，２１，３１，４１...背表紙部、  １２ａ，２２ａ，３２ａ，４２ａ...表表紙部、  １２ｂ，２２ｂ，３２ｂ，４２ｂ...裏表紙部、  １３ａ，１３ｂ，２３ａ，２３ｂ，３３ａ，３３ｂ，４３ａ，４３ｂ...ペンホルダー、  １４ａ、１４ｂ，２４ａ，２４ｂ，４３ａ，４３ｂ，４４ａ，４４ｂ...固定部、  １５ａ，１５ｂ,２５ａ,２５ｂ，３５ａ，３５ｂ，４５ａ，４５ｂ...固定部、  １６ａ，１６ｂ,２６ａ,２６ｂ，３６ａ，３６ｂ，４６ａ，４６ｂ...スリット、  ４０ａ...第１の帯部、  ４０ｂ...第２の帯部、  ５１...リング、  ５２ａ...表表紙、  ５２ｂ...裏表紙、  ５３ａ，５３ｂ...紙
【図１】
0003206685.tif 000003
【図２】
0003206685.tif 000004
【図３】
0003206685.tif 000005
【図４】
0003206685.tif 000006
【図５】
0003206685.tif 000007
【図６】
0003206685.tif 000008
【図７】
0003206685.tif 000009
【図８】
0003206685.tif 000010